(57)【要約】【課題】  ミシンの除塵構造において、ミシンの摺動部に充填されたグリースに多量の埃が付着しないようにして、グリースの劣化を防止しグリースの耐久性を高めること。【解決手段】  ミシンの除塵構造は、アーム部４先端の頭部５下面を覆うカバー３４と、アーム部４の外面を覆う面板３０と、アーム部４の背面側側面の一部を覆う側板３２において、アーム部４の内部空間に臨む部分に粘着シート３１，３３，３５を貼設し、これらカバー３４と面板３０と側板３２をアーム部４の内部空間に臨むように取外し可能に装着すると共に、天秤の外側を覆う天秤カバー１７の内面にテープ状の粘着シート１８を貼設した。【選択図】  図２
2007260060.tif 000002
【特許請求の範囲】
【請求項１】
ミシンのアーム部の内部空間に侵入する又は侵入した埃を除塵する除塵構造において、
前記アーム部の内部空間に臨むように且つ取外し可能に装着された板部材と、
前記板部材の前記内部空間に臨む部分に設けられた埃吸着材と、
を備えたことを特徴とするミシンの除塵構造。
【請求項２】
前記板部材が、アーム部先端の頭部の下面を覆うカバーと、前記アーム部の外面を覆う面板と、前記アーム部の背面側側面の一部を覆う側板とのうちから選択される１又は複数の部材であることを特徴とする請求項１に記載のミシンの除塵構造。
【請求項３】
前記埃吸着材は、グリース膜、粘着材膜、オイル膜の何れかであることを特徴とする請求項１又は２に記載のミシンの除塵構造。
【請求項４】
天秤の外側を覆う天秤カバーと、この天秤カバーの内面に設けられた埃吸着材とを設けたことを特徴とする請求項１〜３の何れかに記載のミシンの除塵構造。
【請求項５】
前記アーム部先端の頭部に設けた天秤通過用開口部を形成する壁部の内面側又は外面側に、天秤通過用開口部へはみ出して天秤に接触する合成樹脂製のブラシ部材を設けたことを特徴とする請求項１〜３の何れかに記載のミシンの除塵構造。
【請求項６】
前記ブラシ部材は、天秤通過用開口部を形成する壁部の外面に粘着可能な可撓性の粘着テープ基材と、この粘着テープ基材に形成されたブラシ体とを有することを特徴とする請求項５に記載のミシンの除塵構造。
【発明の詳細な説明】
【技術分野】
【０００１】
本発明は、ミシンの除塵構造に関し、特にアーム部の内部空間に侵入する又は侵入した埃を吸着し、アーム部内の摺動部に充填されたグリースに多量の埃が付着しないようにして、グリースの劣化を防止するようにしたものに関する。
【背景技術】
【０００２】
従来、本縫いミシン等の各種ミシンは、ベッド部と、ベッド部の右端部から上方に立設された脚柱部と、脚柱部の上端部からベッド部と対向するように片持ち状に左方へ延びるアーム部等から構成されている。これらのミシンにおいては、アーム部の内部にミシン主軸を配設し、脚柱部の上端部側のアーム部の基端部にミシンモータを設け、このミシンモータでミシン主軸を直接駆動する、所謂ダイレクトドライブ方式が採用されてきている。
【０００３】
例えば、特許文献１には、ミシンのベッド部に立設された立胴部（脚柱部）と、この立胴部から水平方向に延びるアーム部とを備え、立胴部の上端部にミシンモータを配設し、ミシンモータの駆動軸とミシン主軸とをカップリングにより連結し、ミシンモータによりミシン主軸を直接駆動する駆動装置内蔵ミシンが開示されている。
【０００４】
特許文献１の駆動装置内蔵ミシンにおいては、モータ駆動軸に冷却用ファンを設け、縫製を開始してミシンモータが回転するのと同時に冷却用ファンが回転し、冷却ファンからミシンモータへ冷却風を送風することで、駆動中に発熱するミシンモータを冷却している。
【特許文献１】特開平４−８３９３号公報
【発明の開示】
【発明が解決しようとする課題】
【０００５】
ところで、縫製を開始してミシンが稼動している間、天秤の上下動でしごかれた上糸の糸屑などの埃がアーム部に設けられた天秤通過用開口部からアーム部内に侵入したり、布押えと加工布との摩擦により発生する埃がアーム部先端の下端の開口部からアーム部内に侵入する。特に、潤滑油による潤滑を廃した無給油化が進められているミシンにおいては、針棒の上下動を支持する針棒支持台やミシン主軸を回転可能に枢支するベアリングなど、アーム部内の摺動部に小型のグリース溜めが夫々設けられている。しかし、アーム部内に侵入した多量の埃がこれら摺動部に充填されたグリースに付着するため、グリースの劣化が進行し耐久性が著しく低下してしまう。このとき、グリースの潤滑性が低下するため、針棒やミシン主軸の摺動部の摺動抵抗が増加し、これらの摺動部に焼き付きが生じる虞がある。
【０００６】
また、特許文献１のように、ミシンモータを冷却する為の冷却ファンを設けたミシンの場合、冷却ファンの回転によってアーム部内へ多量の空気が流入するため、グリースにより多くの埃が付着しやすい環境となり、グリースの劣化が一層進行しやすくなる。
【０００７】
本発明の目的は、ミシンの除塵構造において、ミシンの摺動部に充填されたグリースに多量の埃が付着しないようにして、グリースの劣化を防止しグリースの耐久性を高めることである。
【課題を解決するための手段】
【０００８】
請求項１のミシンの除塵構造は、ミシンのアーム部の内部空間に侵入する又は侵入した埃を除塵する除塵構造において、前記アーム部の内部空間に臨むように且つ取外し可能に装着された板部材と、前記板部材の前記内部空間に臨む部分に設けられた埃吸着材とを備えたことを特徴とするものである。
【０００９】
このミシンの除塵構造では、縫製中、外部で発生した埃がアーム部の内部空間に侵入するが、アーム部の内部空間に臨むように装着された板部材の内部空間に臨む部分に設けられた埃吸着材に埃が吸着されるので、アーム部内の摺動部に充填されたグリースに埃が付着しにくい。そのため、グリースの劣化を防止することができグリースの耐久性が高まる。
【００１０】
請求項２のミシンの除塵構造は、請求項１の発明において、前記板部材が、アーム部先端の頭部の下面を覆うカバーと、前記アーム部の外面を覆う面板と、前記アーム部の背面側側面の一部を覆う側板とのうちから選択される１又は複数の部材であることを特徴とするものである。
【００１１】
請求項３のミシンの除塵構造は、請求項１又は２の発明において、前記埃吸着材は、グリース膜、粘着材膜、オイル膜の何れかであることを特徴とするものである。
【００１２】
請求項４のミシンの除塵構造は、請求項１〜３の何れかの発明において、更に、天秤の外側を覆う天秤カバーと、この天秤カバーの内面に設けられた埃吸着材とを設けたことを特徴とするものである。
【００１３】
請求項５のミシンの除塵構造は、請求項１〜３の何れかの発明において、更に、前記アーム部先端の頭部に設けた天秤通過用開口部を形成する壁部の内面側又は外面側に、天秤通過用開口部へはみ出して天秤に接触する合成樹脂製のブラシ部材を設けたことを特徴とするものである。
【００１４】
請求項６のミシンの除塵構造は、請求項５の発明において、前記ブラシ部材は、天秤通過用開口部を形成する壁部の外面に粘着可能な可撓性の粘着テープ基材と、この粘着テープ基材に形成されたブラシ体とを有することを特徴とするものである。
【発明の効果】
【００１５】
請求項１の発明によれば、アーム部の内部空間に臨むように設けられた板部材の内部空間に臨む部分に埃吸着材を設けたので、ミシンのアーム部の内部空間に侵入した埃を吸着することができ、アーム部内の摺動部に充填されたグリースに埃が付着しなくなる。そのため、グリースの劣化を防止することができグリースの耐久性を高めることができる。グリースの潤滑性が低下するのを抑制することができ、アーム部内の摺動部の焼き付きを未然に防止することができる。
【００１６】
また、板部材が取外し可能に装着されたので、吸着した埃が埃吸着材に蓄積された場合、ミシンから板部材を取外して埃吸着材を交換したり、埃吸着材に付着した埃を除去することで、所定の吸着性能を維持することができる。
【００１７】
請求項２の発明によれば、板部材が、アーム部先端の頭部の下面を覆うカバーと、アーム部の外面を覆う面板と、アーム部の背面側側面の一部を覆う側板とのうちから選択される１又は複数の部材であるので、ミシンから板部材を簡単に着脱することができ、埃吸着材のメンテナンスを簡単に行うことができる。
【００１８】
請求項３の発明によれば、埃吸着材は、グリース膜、粘着材膜、オイル膜の何れかであるので、このような除塵構造を簡単な構成で実現することができる。
請求項４の発明によれば、天秤の外側を覆う天秤カバーと、この天秤カバーの内面に設けられた埃吸着材とを設けたので、天秤の上下動でしごかれた上糸の糸屑などの埃を効果的に吸着することができ、ミシンのアーム部の内部空間に侵入する埃の量が減少する。
【００１９】
請求項５の発明によれば、アーム部先端の頭部に形成される天秤通過用開口部を形成する壁部の内面側又は外面側に、天秤通過用開口部へはみ出して天秤に接触する合成樹脂製のブラシ部材を設け、天秤との接触でブラシ部材に発生する静電気で埃を吸着するように構成したので、天秤通過用開口部からアーム部の内部空間に埃が侵入するのを確実に防止することができる。
【００２０】
請求項６の発明によれば、ブラシ部材は、天秤通過用開口部を形成する壁部の外面に粘着可能な可撓性の粘着テープ基材と、この粘着テープ基材に形成されたブラシ体とを有するので、ブラシ部材に埃が蓄積された場合に壁部からブラシ部材を剥がして、簡単にブラシ部材を交換することができ、所定の吸着性能を維持することができる。
【発明を実施するための最良の形態】
【００２１】
本発明のミシンの除塵構造は、アーム部の内部空間に臨む内面部分に埃吸着材が形成されたカバーと面板と側板を、アーム部の内部空間に臨むように且つ取外し可能に装着すると共に、天秤の外側を覆う天秤カバーの内面に埃吸着材を設けたものである。
【実施例】
【００２２】
以下、本発明の実施の形態を図面に基づいて説明する。
本実施例は、２本針本縫いミシンに本発明を適用した場合の一例である。
図１〜図３に示すように、２本針本縫いミシン１は、ベッド部２と、ベッド部２の右端部から上方に立設する脚柱部３と、脚柱部３の上端部からベッド部２と対向するように左方へ延びるアーム部４と、アーム部４の先端部分である頭部５等から構成されている。脚柱部３には、返し縫いのための返し縫いレバー７と、その返し縫いの送りピッチを調節する為の調節ダイヤル８等が設けられている。脚柱部３の右端部には、保護カバー９が装着され、保護カバー９の右側には、ハンドプーリ１０が設けられている。
【００２３】
アーム部４の正面側には、糸調子機構１１等が設けられている。アーム部４の上面には、下糸巻き機構１２、下糸巻き用の糸調子機構１３や操作パネル１４等が設けられている。アーム部４先端の頭部５の正面側において、上下方向に延びる天秤通過用開口部１５が形成されている。天秤通過用開口部１５の前側には、天秤１６の外側を覆う天秤カバー１７が設けられている。
【００２４】
アーム部４の内部空間には、左右方向に延びるミシン主軸と、針棒２０を上下駆動する為のミシンモータと、針棒２０を上下動させる針棒上下動機構（図示略）と、天秤１６を上下駆動させる天秤上下動機構（図示略）などが設けられている。
【００２５】
アーム部４の左端部には、アーム部４の外面を覆う面板３０が装着され、アーム部４の右端部分の背面側には、その側面の一部を覆う側板３２が装着されている。
頭部５の下面には、その下面を覆うカバー３４が装着され、カバー３４には、針棒２０が貫通する為の開口部３４ａと、押え棒２２が貫通する為の開口部３４ｂが夫々形成されている。尚、面板３０と側板３２とカバー３４が夫々板部材に相当する。
【００２６】
ベッド部２内には、布送り機構（図示略）と、針棒２０の下端部に装着された２本の縫針２１の上下動と調時して回転し、上糸と下糸とを交絡させる回転釜（図示略）と、ミシンモータからの回転駆動力を垂直釜に伝達する下軸等が設けられている。ミシンモータは、脚柱部３の上端部に左右方向向きに配設されている。
【００２７】
針棒上下動機構について簡単に説明すると、ミシン主軸の左端部に針棒クランクが連結され、クランクロッドと針棒支持台を介して針棒２０が上下動可能に連結されている。針棒２０の後側には、押え棒２２が上下動可能に支持され、押え棒２２の下端部には押え足２３が着脱可能に装着されている。ベアリングや針棒支持台の摺動部には、小型のグリース溜めが設けられ、そのグリース溜めにグリースが充填されている。ハンドプーリ１０と脚柱部３の間、ハンドプーリ１０と保護カバー９の間、ミシンモータと保護カバー９との間には、夫々通風用の隙間が形成されている。
【００２８】
次に、アーム部４の内部空間に侵入する又は侵入した埃を除塵するミシンの除塵構造について、図２、図３に基づいて説明する。
アーム部４の左端部には、面板３０が２本のネジ３６でもって取外し可能に装着され、アーム部４の右端部分の背面側には、側板３２が７本のネジでもって取外し可能に装着されている。カバー３４は、下板部３４ｃとその左右後端を上方に折曲させた２つの取付部３４ｄで構成されている。カバー３４は、頭部５下面に下板部３４ｃを当接させた状態で、頭部５の背面側において取付部３４ｄが２本のビスでもって取外し可能に装着されている。
【００２９】
面板３０と側板３２とカバー３４のアーム部４の内部空間に臨む部分には、埃吸着材としての粘着シート３１，３３，３５が夫々貼設されている。粘着シート３１，３３，３５は夫々同じ構成であるため、粘着シート３１について説明する。粘着シート３１は、粘着剤とその両面に貼着された剥離紙から構成され、裏面の剥離紙を剥離して面板３０に貼着した後、表面の剥離紙を剥離し粘着シート３１の表面に粘着剤が露出した状態で粘着シート３１が面板３０に貼設されている。これら粘着シート３１，３３，３５でアーム部４の内部空間に侵入した埃を吸着するようになっている。
尚、粘着シート３１は面板３０よりも小さい寸法に形成され、粘着シート３３は側板３２よりも小さい寸法に形成され、粘着シート３５はカバー３４の下板部３４ｃと略同じ寸法に形成されている。
【００３０】
同様に、天秤カバー１７内面にも、天秤カバー１７よりも小さい寸法に形成されたテープ状の粘着シート１８が貼設され、天秤１６の上下動でしごかれた上糸の糸屑などの埃を吸着するようになっている。
尚、粘着シート１８，３１，３３，３５が粘着材膜に相当する。
【００３１】
次に、ミシンの除塵構造の作用、効果について説明する。
縫製を開始して２本針本縫いミシン１が稼動している間、天秤１６の上下動でしごかれた上糸の糸屑などの埃や押え足２３と加工布上の摩擦により発生する埃が、カバー３４の開口部３４ａ，３４ｂや通風用の隙間などからアーム部４内に侵入するが、アーム部４の内部空間に臨むように装着された面板３０と側板３２とカバー３４の内部空間に臨む部分に貼設された粘着シート３１，３３，３５の表面の粘着剤に埃が吸着される。このとき、天秤通過用開口部１５からもアーム部４内に埃が侵入しようとするが、天秤カバー１７の内面に貼設された粘着シート１８に埃が吸着される。
【００３２】
このように、面板３０と側板３２とカバー３４がアーム部４の内部空間に臨む内面部分に粘着シート３１，３３，３５を貼設したので、アーム部４の内部空間に侵入した埃を吸着することができ、アーム部４内の摺動部に充填されたグリースに埃が付着しなくなる。そのため、グリースの劣化を防止することができグリースの耐久性を高めることができる。グリースの潤滑性が低下するのを抑制することができ、アーム部４内の摺動部の焼き付きを未然に防止することができる。
【００３３】
更に、面板３０と側板３２とカバー３４がアーム部４に対して取外し可能に装着されたので、吸着した埃が粘着シート３１，３３，３５に蓄積された場合、アーム部４から面板３０や側板３２やカバー３４を取外して粘着シート３１，３３，３５を交換したり、粘着シート３１，３３，３５に付着した埃を除去することで、所定の吸着性能を維持することができる。しかも、面板３０と側板３２とカバー３４を簡単に着脱することができるので埃吸着材のメンテナンスを簡単に行うことができる。
【００３４】
更に、天秤１６の外側を覆う天秤カバー１７と、この天秤カバー１７の内面に貼設された粘着シート１８とを設けたので、天秤１６の上下動でしごかれた上糸の糸屑などの埃を効果的に吸着することができ、アーム部４の内部空間に侵入する埃の量が減少する。また、天秤カバー１７の内面に貼設されたテープ状の粘着シート１８についてもメンテナンスを簡単に行うことができる。
【００３５】
次に、前記実施例を部分的に変更した変更例について説明する。
１］上記実施例において、埃吸着材は、粘着シート１８，３１，３３，３５のみならず面ファスナー、板部材表面に直接塗着されたグリース膜やその他のオイル膜などであってもよい。また、アーム部４の内部空間に臨み且つ取外し可能な部材であればどの部材に埃吸着材を設けてもよい。
２］上記実施例において、板部材は、面板３０、側板３２、カバー３４のうちから選択される１つの部材であってもよいし、複数の部材であってもよい。
【００３６】
３］上記実施例において、図４〜図７に示すように、天秤通過用開口部１５を形成する頭部５におけるミシンフレームＦ（壁部）の内面側又は外面側に天秤通過用開口部１５へはみ出して天秤１６に接触する合成樹脂製のブラシ部材４０を設けてもよい。この場合、天秤通過用開口部１５の左右両側において、頭部５のミシンフレームＦの内面側又は外面側に粘着可能な可撓性の粘着テープ基材４１を介して合成樹脂製のブラシ基材４２を貼着する。天秤１６には、透明の薄い絶縁被膜を形成しておき、天秤１６が天秤通過用開口部１５に沿って上下動する際にブラシ基材４２に接触することによりブラシ基材４２に静電気が発生し、ブラシ基材４２に発生した静電気によって埃を吸着するように構成されている。
【００３７】
これにより、天秤通過用開口部１５からアーム部４の内部空間に埃が侵入するのを確実に防止することができる。また、天秤通過用開口部１５を形成する頭部５におけるミシンフレームＦの内面側又は外面側にブラシ部材４０を設けずに、天秤１６の左右両端に粘着テープ基材４１を介して天秤通過用開口部１５よりも外方に延びるブラシ基材４２を貼設してもよい。この場合、天秤１６が天秤通過用開口部１５に沿って上下動する際にブラシ基材４２が天秤通過用開口部１５の左右両側に接触することにより、ブラシ基材４２に静電気が発生する。
【００３８】
４］図８に示すように、２本針本縫いミシン１Ａは、プーリー５１の左側にミシンモータ５０を設け、該ミシンモータ５０の左側にミシンモータ５０を冷却するための冷却ファン５２をミシンモータ５０の駆動軸５０ａに固定している。また、冷却ファン５２とミシンモータ５０との間の駆動軸５０ａに、フィルター５３を固定している。ミシンモータ５０が駆動されると、冷却ファン５２が回転し、冷却ファン５２によって発生するアーム部４内の空気流によって、ミシンモータ５０を冷却している。また、アーム部４の内部空間に侵入した埃は、フィルター５３によって吸着される。
５〕本発明のミシンの除塵構造は、２本針本縫いミシンに限られるものではなく、各種の工業用ミシンや家庭用ミシンにも適宜適用するようにしてもよいことは勿論である。
６〕その他、当業者であれば、本発明の趣旨を逸脱することなく、前記実施例に種々の変更を付加した形態で実施可能で、本発明はそのような変更形態も包含するものである。
【図面の簡単な説明】
【００３９】
【図１】本発明の実施例に係る２本針本縫いミシンの斜視図である。
【図２】２本針本縫いミシンと面板と側板とカバーの分解斜視図である。
【図３】２本針本縫いミシンの左側面図である。
【図４】変形例における２本針本縫いミシンの頭部の要部拡大斜視図である。
【図５】ミシンフレームの内面側にブラシ部材を設けた場合のミシンフレームとブラシ部材と天秤の横断面図である。
【図６】ミシンフレームの外面側にブラシ部材を設けた場合のミシンフレームとブラシ部材と天秤の横断面図である。
【図７】ブラシ部材の正面図である。
【図８】別の変形例における２本針本縫いミシンの内部機構を示す要部縦断正面図である。
【符号の説明】
【００４０】
１，１Ａ  ２本針本縫いミシン
４        アーム部
５        頭部
１５      天秤通過用開口部
１６      天秤
１７      天秤カバー
１８，３１，３３，３５  粘着シート
３０      面板
３２      側板
３４      カバー
４０      ブラシ部材
４１      粘着テープ基材
４２      ブラシ体
【図１】
2007260060.tif 000003
【図２】
2007260060.tif 000004
【図３】
2007260060.tif 000005
【図４】
2007260060.tif 000006
【図５】
2007260060.tif 000007
【図６】
2007260060.tif 000008
【図７】
2007260060.tif 000009
【図８】
2007260060.tif 000010